(57)【特許請求の範囲】
【請求項１】
着衣した人の衣服及び前記人の少なくとも一部に薬液を付着させる付着装置であって、
前記人の上方に位置して、平面視において前記人を挟むように配置され、前記薬液を噴霧する第１ノズルペアと、
前記人の上方に位置して、前記平面視において前記第１ノズルペアを結ぶ仮想直線と前記人を挟むように配置され、前記薬液を噴霧する第２ノズルペアと、
床面を有して、前記床面に前記人が両足を開いて立った状態で前記人を収容可能かつ、収容された前記人の上方に前記第１及び前記第２ノズルペアが配置された閉じた空間と、
を備え、
前記床面は、前記空間において前記人が前記両足を開いて立つ右足の立ち位置となる第１マークと、前記空間において前記人が前記両足を開いて立つ左足の立ち位置となる第２マークと、を有し、
前記第１マーク及び前記第２マークの上に前記両足を開いて立った前記人の右足裏領域、左足裏領域、及び前記右足裏領域と前記左足裏領域とに挟まれる領域の外側に位置する前記床面に対して、前記第１及び前記第２ノズルペアの各ノズルの中心軸が交差し、
前記平面視において、前記各ノズルが仮想四角形の各頂点に相当するように前記各ノズルが四角形状に配置され、
前記仮想四角形において、１つの頂点を基点に接続する２辺を仮想第１辺と仮想第２辺とし、前記仮想第１辺の長さが前記仮想第２辺の長さ以下とした場合に、
前記仮想第１辺に沿う第１方向から見て、鉛直方向に延びる仮想鉛直線と前記中心軸とのなす角である第１角度が５度以上かつ１５度以下であり、
前記仮想第２辺に沿う第２方向から見て、前記仮想鉛直線と前記中心軸との前記なす角である第２角度が０度以上３０度以下であり、
前記平面視において、前記第１マーク及び前記第２マークは、前記仮想四角形の内側に位置し、
前記第１ノズルペアは、第１ノズルと第２ノズルを有し、
前記第２ノズルペアは、第３ノズルと第４ノズルを有し、
前記平面視において、前記第１ノズルの前記中心軸は、前記第１ノズルに対向する前記第３ノズルと前記第１ノズルとの中央より前記第１ノズル側において前記床面に交差し、
前記平面視において、前記第３ノズルの前記中心軸は、前記第３ノズルに対向する前記第１ノズルと前記第３ノズルとの中央より前記第３ノズル側において前記床面に交差し、
前記平面視において、前記第２ノズルの前記中心軸は、前記第２ノズルに対向する前記第４ノズルと前記第２ノズルとの中央より前記第２ノズル側において前記床面に交差し、
前記平面視において、前記第４ノズルの前記中心軸は、前記第４ノズルに対向する前記第２ノズルと前記第４ノズルとの中央より前記第４ノズル側において前記床面に交差し、
前記人が前記第１マーク及び前記第２マークに立って、水平方向に両手を広げた状態、かつ、前記平面視及び前記仮想第２辺に沿う方向を基準とし、前記人の前記両手側から足元側の領域において前記各ノズルの前記中心軸が前記床面と交差する、付着装置。
【請求項２】
前記第１ノズルペアの前記第１角度と、前記第２ノズルペアの前記第１角度が異なる、請求項１に記載の付着装置。
【請求項３】
人が両足を開いて立つ右足の立ち位置となる第１マークと、前記人が前記両足を開いて立つ左足の立ち位置となる第２マークと、を有する床面に前記両足を開いて立った状態で衣服を着衣した前記人の上方に配置されて、前記衣服及び前記人の少なくとも一部に薬液を付着させるために前記薬液を噴霧するノズルセットであって、
前記人の上方に位置して、平面視において前記人を挟むように配置され、前記薬液を噴霧する第１ノズルペアと、
前記人の上方に位置して、前記平面視において前記第１ノズルペアを結ぶ仮想直線と前記人を挟むように配置され、前記薬液を噴霧する第２ノズルペアと、
を備え、
前記第１マーク及び前記第２マークの上に前記両足を開いて立った前記人の右足裏領域、左足裏領域、及び前記右足裏領域と前記左足裏領域とに挟まれる領域の外側に位置する前記床面に対して、前記第１及び前記第２ノズルペアの各ノズルの中心軸が交差し、
前記平面視において、前記各ノズルが仮想四角形の各頂点に相当するように前記各ノズルが四角形状に配置され、
前記仮想四角形において、１つの頂点を基点に接続する２辺を仮想第１辺と仮想第２辺とし、前記仮想第１辺の長さが前記仮想第２辺の長さ以下とした場合に、
前記仮想第１辺に沿う第１方向から見て、鉛直方向に延びる仮想鉛直線と前記中心軸とのなす角である第１角度が５度以上かつ１５度以下であり、
前記仮想第２辺に沿う第２方向から見て、前記仮想鉛直線と前記中心軸との前記なす角である第２角度が０度以上３０度以下であり、
前記平面視において、前記第１マーク及び前記第２マークは、前記仮想四角形の内側に位置し、
前記第１ノズルペアは、第１ノズルと第２ノズルを有し、
前記第２ノズルペアは、第３ノズルと第４ノズルを有し、
前記平面視において、前記第１ノズルの前記中心軸は、前記第１ノズルに対向する前記第３ノズルと前記第１ノズルとの中央より前記第１ノズル側において前記床面に交差し、
前記平面視において、前記第３ノズルの前記中心軸は、前記第３ノズルに対向する前記第１ノズルと前記第３ノズルとの中央より前記第３ノズル側において前記床面に交差し、
前記平面視において、前記第２ノズルの前記中心軸は、前記第２ノズルに対向する前記第４ノズルと前記第２ノズルとの中央より前記第２ノズル側において前記床面に交差し、
前記平面視において、前記第４ノズルの前記中心軸は、前記第４ノズルに対向する前記第２ノズルと前記第４ノズルとの中央より前記第４ノズル側において前記床面に交差し、
前記人が前記第１マーク及び前記第２マークに立って、水平方向に両手を広げた状態、かつ、前記平面視かつ前記仮想第２辺に沿う方向を基準とし、前記人の前記両手側から足元側の領域において前記各ノズルの前記中心軸が前記床面と交差する、ノズルセット。
【請求項４】
衣服を着衣した人が床面に両足を開いて立った状態で前記人を収容可能な閉じた空間に収容された前記人の上方から前記衣服及び前記人の少なくとも一部に薬液を付着させる付着方法であって、
前記人の上方から、平面視において前記人を挟む第１位置及び第２位置から、前記両足を開いて立った前記人の右足裏領域、左足裏領域、及び前記右足裏領域と前記左足裏領域とに挟まれる領域の外側に位置する前記床面に向けて前記薬液を噴霧する第１噴霧工程と、
前記人の上方から、前記平面視において前記第１及び前記第２位置を結ぶ仮想直線と前記人を挟む第３位置及び第４位置から、前記外側に位置する前記床面に向けて前記薬液を噴霧する第２噴霧工程と、
を備え、
前記第１〜前記第４位置から前記外側に位置する前記床面に向けて、それぞれ延びる各直線を仮想軸線とし、
前記平面視において、前記第１〜前記第４位置が仮想四角形の各頂点に相当するように前記第１〜前記第４位置が四角形状に位置し、
前記仮想四角形において、１つの頂点を基点に接続する２辺を仮想第１辺と仮想第２辺とし、前記仮想第１辺の長さが前記仮想第２辺の長さ以下とした場合に、
前記仮想第１辺に沿う第１方向から見て、鉛直方向に延びる仮想鉛直線と前記仮想軸線とのなす角である第１角度が５度以上かつ１５度以下であり、
前記仮想第２辺に沿う第２方向から見て、前記仮想鉛直線と前記仮想軸線とのなす角である第２角度が０度以上３０度以下とし、
前記平面視において、前記第１位置の前記仮想軸線は、前記第１位置に対向する前記第３位置と前記第１位置との中央より前記第１位置側において前記床面に交差し、
前記平面視において、前記第３位置の前記仮想軸線は、前記第３位置に対向する前記第１位置と前記第３位置との中央より前記第３位置側において前記床面に交差し、
前記平面視において、前記第２位置の前記仮想軸線は、前記第２位置に対向する前記第４位置と前記第２位置との中央より前記第２位置側において前記床面に交差し、
前記平面視において、前記第４位置の前記仮想軸線は、前記第４位置に対向する前記第２位置と前記第４位置との中央より前記第４位置側において前記床面に交差し、
前記両足を開いて立った前記人が水平方向に両手を広げた状態、かつ、前記平面視かつ前記仮想第２辺に沿う方向を基準とし、前記人の前記両手側から足元側の領域において前記第１〜前記第４位置の各前記仮想軸線が前記床面と交差し、
前記第１噴霧工程及び前記第２噴霧工程は、前記第１〜前記第４位置の各位置から各前記仮想軸線と前記床面が交差する方向に向けて、前記薬液を噴霧する、付着方法。
【発明の詳細な説明】
【技術分野】
【０００１】
本発明は、付着装置、ノズルセット及び付着方法に関する。
【背景技術】
【０００２】
例えば、特許文献１には、室内に入室した人に薬液を噴霧する装置が開示される。
【先行技術文献】
【特許文献】
【０００３】
【特許文献１】実用新案登録第３１６５１５０号
【発明の概要】
【発明が解決しようとする課題】
【０００４】
特許文献１の装置では、人の頭部に向けて薬液の噴霧を行うため、薬液が頭部に集中して付着する。
【０００５】
本発明の課題は、着衣した人の衣服及び人の少なくとも一部に満遍なく薬液を付着させる付着装置、ノズルセット及び付着方法を提供することにある。
【課題を解決するための手段及び発明の効果】
【０００６】
本発明の付着装置は、
着衣した人の衣服及び人の少なくとも一部に薬液を付着させる付着装置であって、
人の上方に位置して、平面視において人を挟むように配置され、薬液を噴霧する第１ノズルペアと、
人の上方に位置して、平面視において第１ノズルペアを結ぶ仮想直線と人を挟むように配置され、薬液を噴霧する第２ノズルペアと、
床面を有して、床面に人が両足を開いて立った状態で人を収容可能かつ、収容された人の上方に第１及び第２ノズルペアが配置された閉じた空間と、
を備え、
床面は、空間において人が両足を開いて立つ右足の立ち位置となる第１マークと、空間において人が両足を開いて立つ左足の立ち位置となる第２マークと、を有し、
第１マーク及び第２マークの上に両足を開いて立った人の右足裏領域、左足裏領域、及び右足裏領域と左足裏領域とに挟まれる領域の外側に位置する床面に対して、第１及び第２ノズルペアの各ノズルの中心軸が交差し、
平面視において、各ノズルが仮想四角形の各頂点に相当するように各ノズルが四角形状に配置され、
仮想四角形において、１つの頂点を基点に接続する２辺を仮想第１辺と仮想第２辺とし、仮想第１辺の長さが仮想第２辺の長さ以下とした場合に、
仮想第１辺に沿う第１方向から見て、鉛直方向に延びる仮想鉛直線と中心軸とのなす角である第１角度が５度以上かつ１５度以下であり、
仮想第２辺に沿う第２方向から見て、仮想鉛直線と中心軸とのなす角である第２角度が０度以上３０度以下であり、
平面視において、第１マーク及び第２マークは、仮想四角形の内側に位置し、
第１ノズルペアは、第１ノズルと第２ノズルを有し、
第２ノズルペアは、第３ノズルと第４ノズルを有し、
平面視において、第１ノズルの中心軸は、第１ノズルに対向する第３ノズルと第１ノズルとの中央より第１ノズル側において床面に交差し、
平面視において、第３ノズルの中心軸は、第３ノズルに対向する第１ノズルと第３ノズルとの中央より第３ノズル側において床面に交差し、
平面視において、第２ノズルの中心軸は、第２ノズルに対向する第４ノズルと第２ノズルとの中央より第２ノズル側において床面に交差し、
平面視において、第４ノズルの中心軸は、第４ノズルに対向する第２ノズルと第４ノズルとの中央より第４ノズル側において床面に交差し、
人が第１マーク及び第２マークに立って、水平方向に両手を広げた状態、かつ、平面視及び仮想第２辺に沿う方向を基準とし、人の両手側から足元側の領域において各ノズルの中心軸が床面と交差する。
【０００７】
本発明の付着装置は、薬液を噴霧する各ノズルの中心軸が、両足を開いて立った人の右足裏領域、左足裏領域、及び右足裏領域と左足裏領域とに挟まれる領域の外側に位置する床面に交差する。そのため、各ノズルから噴霧される薬液が、いわば、人の足元の外側に位置する床面めがけて噴霧される。噴霧された気流は、床面にぶつかった後に気流の一部が人に沿うように上昇する。よって、人の特定の部位をめがけて薬液を噴霧する場合より着衣した人の衣服及び人に満遍なく薬液を付着させることができる。なお、本明細書において、「薬液」とは、薬の液のみならず、薬の液を噴霧したり、微細化したりすることで生じる液滴も含まれる。
【０００８】
本発明の実施態様では、
平面視において、各ノズルが仮想四角形の各頂点に相当するように各ノズルが四角形状に配置され、
仮想四角形において、１つの頂点を基点に接続する２辺を仮想第１辺と仮想第２辺とし、仮想第１辺の長さが仮想第２辺の長さ以下とした場合に、
仮想第１辺に沿う第１方向から見て、鉛直方向に延びる仮想鉛直線と中心軸とのなす角である第１角度が５度以上かつ１５度以下であり、
仮想第２辺に沿う第２方向から見て、仮想鉛直線と中心軸とのなす角である第２角度が０度以上３０度以下としてもよい。
【０００９】
これによれば、着衣した人の衣服及び人により満遍なく薬液を付着させることができる。
【００１０】
本発明の実施態様では、
第１ノズルペアの第１角度と、第２ノズルペアの第１角度が異なってもよい。
【００１１】
これによれば、着衣した人の衣服及び人により満遍なく薬液を付着させることができる。
【００１２】
また、本発明のノズルセットは、
人が両足を開いて立つ右足の立ち位置となる第１マークと、人が両足を開いて立つ左足の立ち位置となる第２マークと、を有する床面に両足を開いて立った状態で衣服を着衣した人の上方に配置されて、衣服及び人の少なくとも一部に薬液を付着させるために薬液を噴霧するノズルセットであって、
人の上方に位置して、平面視において人を挟むように配置され、薬液を噴霧する第１ノズルペアと、
人の上方に位置して、平面視において第１ノズルペアを結ぶ仮想直線と人を挟むように配置され、薬液を噴霧する第２ノズルペアと、
を備え、
第１マーク及び第２マークの上に両足を開いて立った人の右足裏領域、左足裏領域、及び右足裏領域と左足裏領域とに挟まれる領域の外側に位置する床面に対して、第１及び第２ノズルペアの各ノズルの中心軸が交差し、
平面視において、各ノズルが仮想四角形の各頂点に相当するように各ノズルが四角形状に配置され、
仮想四角形において、１つの頂点を基点に接続する２辺を仮想第１辺と仮想第２辺とし、仮想第１辺の長さが仮想第２辺の長さ以下とした場合に、
仮想第１辺に沿う第１方向から見て、鉛直方向に延びる仮想鉛直線と中心軸とのなす角である第１角度が５度以上かつ１５度以下であり、
仮想第２辺に沿う第２方向から見て、仮想鉛直線と中心軸とのなす角である第２角度が０度以上３０度以下であり、
平面視において、第１マーク及び第２マークは、仮想四角形の内側に位置し、
第１ノズルペアは、第１ノズルと第２ノズルを有し、
第２ノズルペアは、第３ノズルと第４ノズルを有し、
平面視において、第１ノズルの中心軸は、第１ノズルに対向する第３ノズルと第１ノズルとの中央より第１ノズル側において床面に交差し、
平面視において、第３ノズルの中心軸は、第３ノズルに対向する第１ノズルと第３ノズルとの中央より第３ノズル側において床面に交差し、
平面視において、第２ノズルの中心軸は、第２ノズルに対向する第４ノズルと第２ノズルとの中央より第２ノズル側において床面に交差し、
平面視において、第４ノズルの中心軸は、第４ノズルに対向する第２ノズルと第４ノズルとの中央より第４ノズル側において床面に交差し、
人が第１マーク及び第２マークに立って、水平方向に両手を広げた状態、かつ、平面視かつ仮想第２辺に沿う方向を基準とし、人の両手側から足元側の領域において各ノズルの中心軸が床面と交差する。
【００１３】
本発明のノズルセットは、薬液を噴霧する各ノズルの中心軸が、両足を開いて立った人の右足裏領域、左足裏領域、及び右足裏領域と左足裏領域とに挟まれる領域の外側に位置する床面に交差する。そのため、各ノズルから噴霧される薬液が、いわば、人の足元の外側に位置する床面めがけて噴霧される。噴霧された気流は、床面にぶつかった後に気流の一部が人に沿うように上昇する。よって、人の特定の部位をめがけて薬液を噴霧する場合より着衣した人の衣服及び人に満遍なく薬液を付着させることができる。
【００１４】
また、本発明の付着方法は、
衣服を着衣した人が床面に両足を開いて立った状態で人を収容可能な閉じた空間に収容された人の上方から衣服及び人の少なくとも一部に薬液を付着させる付着方法であって、
人の上方から、平面視において人を挟む第１位置及び第２位置から、両足を開いて立った人の右足裏領域、左足裏領域、及び右足裏領域と左足裏領域とに挟まれる領域の外側に位置する床面に向けて薬液を噴霧する第１噴霧工程と、
人の上方から、平面視において第１及び第２位置を結ぶ仮想直線と人を挟む第３位置及び第４位置から、外側に位置する床面に向けて薬液を噴霧する第２噴霧工程と、
を備え、
第１〜第４位置から外側に位置する床面に向けて、それぞれ延びる各直線を仮想軸線とし、
平面視において、第１〜第４位置が仮想四角形の各頂点に相当するように第１〜第４位置が四角形状に位置し、
仮想四角形において、１つの頂点を基点に接続する２辺を仮想第１辺と仮想第２辺とし、仮想第１辺の長さが仮想第２辺の長さ以下とした場合に、
仮想第１辺に沿う第１方向から見て、鉛直方向に延びる仮想鉛直線と仮想軸線とのなす角である第１角度が５度以上かつ１５度以下であり、
仮想第２辺に沿う第２方向から見て、仮想鉛直線と仮想軸線とのなす角である第２角度が０度以上３０度以下とし、
平面視において、第１位置の仮想軸線は、第１位置に対向する第３位置と第１位置との中央より第１位置側において床面に交差し、
平面視において、第３位置の仮想軸線は、第３位置に対向する第１位置と第３位置との中央より第３位置側において床面に交差し、
平面視において、第２位置の仮想軸線は、第２位置に対向する第４位置と第２位置との中央より第２位置側において床面に交差し、
平面視において、第４位置の仮想軸線は、第４位置に対向する第２位置と第４位置との中央より第４位置側において床面に交差し、
両足を開いて立った人が水平方向に両手を広げた状態、かつ、平面視かつ仮想第２辺に沿う方向を基準とし、人の両手側から足元側の領域において第１〜第４位置の各仮想軸線が床面と交差し、
第１噴霧工程及び第２噴霧工程は、第１〜第４位置の各位置から各仮想軸線と床面が交差する方向に向けて、薬液を噴霧する。
【００１５】
本発明の付着方法は、第１〜第４の各位置から薬液が、両足を開いて立った人の右足裏領域、左足裏領域、及び右足裏領域と左足裏領域とに挟まれる領域の外側に位置する床面に向けて噴霧される。そのため、噴霧される薬液が、いわば、人の足元の外側に位置する床面めがけて噴霧される。噴霧された気流は、床面にぶつかった後に気流の一部が人に沿うように上昇する。よって、人の特定の部位をめがけて薬液を噴霧する場合より着衣した人の衣服及び人に満遍なく薬液を付着させることができる。
【００１６】
本発明の実施態様では、
第１〜第４位置から外側に位置する床面に向けて、それぞれ延びる各直線を仮想軸線とし、
平面視において、第１〜第４位置が仮想四角形の各頂点に相当するように第１〜第４位置が四角形状に位置し、
仮想四角形において、１つの頂点を基点に接続する２辺を仮想第１辺と仮想第２辺とし、仮想第１辺の長さが仮想第２辺の長さ以下とした場合に、
仮想第１辺に沿う第１方向から見て、鉛直方向に延びる仮想鉛直線と仮想軸線とのなす角である第１角度が５度以上かつ１５度以下であり、
仮想第２辺に沿う第２方向から見て、仮想鉛直線と仮想軸線とのなす角である第２角度が０度以上３０度以下としてもよい。
【００１７】
これによれば、着衣した人の衣服及び人により満遍なく薬液を付着させることができる。
【図面の簡単な説明】
【００１８】
【図１】本発明の付着装置の一例を示す模式正面図。
【図２】図１の消毒室内を平面視により見た模式断面図。
【図３】図１の消毒室内を正面視により見た模式断面図。
【図４】図１の消毒室内を平面視により見た模式断面図（ただし、図２とは異なり、便宜的に一部の部品などは省略してある。）。
【図５】図１の付着装置の消毒室内を第１方向から見た場合のノズルの中心軸と仮想鉛直線とのなす角ａを示す模式図。
【図６】図１の付着装置の消毒室内を第２方向から見た場合のノズルの中心軸と仮想鉛直線とのなす角ｂを示す模式図。
【図７】実験例で使用したガーゼを人に取り付けた場所を示す模式正面図（人の顔側）。
【図８】実験例で使用したガーゼを人に取り付けた場所を示す模式背面図（人の背中側）。
【図９】実験例１〜６において全身に付着した薬液の付着量を示すグラフ。
【図１０】実験例７〜１１において全身に付着した薬液の付着量を示すグラフ。
【図１１】実験例１２〜１４において全身に付着した薬液の付着量を示すグラフ。
【図１２】実験例１５、１６において全身に付着した薬液の付着量を示すグラフ。
【図１３】実験例１７〜１９において全身に付着した薬液の付着量を示すグラフ。
【図１４】実験例２０、２１において全身に付着した薬液の付着量を示すグラフ。
【図１５】実験例２２において全身に付着した薬液の付着量を示すグラフ。
【図１６】実験例２３〜２５において全身に付着した薬液の付着量を示すグラフ。
【図１７】実験例２６〜２８において全身に付着した薬液の付着量を示すグラフ。
【図１８】実験例２９において全身に付着した薬液の付着量を示すグラフ。
【図１９】実験例３０、３１において全身の一部に付着した薬液の付着量を示すグラフ。
【発明を実施するための形態】
【００１９】
図１は本発明の一例の付着装置１を示す。付着装置１は、主に、着衣した人の衣服の表面及び人の少なくとも一部（衣服から露出している部分）に病原菌などを消毒する薬液を付着させる装置である。付着装置１は、衣服や人に付着した病原菌などを消毒する消毒室２と、消毒する薬液を蓄える薬液タンク３と、薬液タンク３から薬液を消毒室２内に供給する供給ポンプ４と、供給ポンプにより供給された薬液を霧状に噴霧するために用いるコンプレッサー５と、を備える。
【００２０】
衣服や人に付着した病原菌などを消毒する消毒室２は、床６と、４つの側壁７と、天井８とを有する。消毒室２内を平面視で模式的に表した図２に示すように、消毒室２は中空直方体状に形成される。床６は、平坦な板状に形成され、長辺６ａ１と短辺６ａ２を有する長方形状の床面６ａを有する。床面６ａの中央部には、消毒のために消毒室２内に入った人が立つ、立ち位置を表示するマークＭが表示される。マークＭは、消毒室２内に入った人の右足の立ち位置を示すマークＭ１と、左足の立ち位置を示すマークＭ２とを有する。マークＭ１、Ｍ２は、消毒室２内に入った人の爪先が一方の長辺６ａ１、踵が他方の長辺６ａ１に対向するように床面６ａに表示される。なお、マークＭ１とマークＭ２との中点を軸にマークＭ１とマークＭ２を反時計回りに９０度回転させた位置にマークＭ´（マークＭ´１、マークＭ´２）が表示される。
【００２１】
消毒室２は、床面６ａの各長辺６ａ１及び各短辺６ａ２の縁部から上方に延びるように側壁７を有する。側壁７は、各長辺６ａ１の縁部から上方に延びる板状の側壁７ａと、各短辺６ａ２の縁部から上方に延びる板状の側壁７ｂとを有する。側壁７として、２つの側壁７ａと２つの側壁７ｂを有する。各側壁７ａは、消毒室２に人が出入りする出入口となる扉Ｄを有する。また、図１に示すように、一方の側壁７ａには、消毒室２内に供給する薬液の噴霧条件などを制御する制御部Ｃを有する。
【００２２】
消毒室２内を正面視で模式的に表した図３に示すように、消毒室２は、側壁７に蓋をするように板状の天井８を有する。天井８、側壁７及び床６により、消毒室２は閉じた空間となる。消毒室２は、図２に示すマークＭに人が立って、水平方向に手を広げた状態で人の両手が側壁７ｂに接しない大きさである。また、マークＭに立った人がその場で鉛直方向を軸として９０度回転するとともに、両手を腰にあてたポーズを取った状態で、肘などが側壁７ａや扉Ｄに触れない大きさである。更に、消毒室２は、マークＭに人が立って背筋を伸ばした状態で、人の頭と図３に示す天井８との間に空間が形成される大きさである。
【００２３】
消毒室２内には、消毒室２内に薬液を噴霧させるノズル９が備わる。ノズル９は、図２のマークＭに人が立って背筋を伸ばした状態で、人の上方に位置する。図４には、消毒室２の内部を平面視により見た様子が示される（ただし、消毒室２内の一部の部品などは便宜的に省略してある。）。図４では、マークＭに立っている人が両手を水平方向に広げた領域が便宜的に領域ＨＲとして示される。ノズル９は、人の領域ＨＲを挟むように配置される第１ノズルペア９ａ（ノズル９ａ１とノズル９ａ２のペア）と、図４の第１ノズルペア９ａを結ぶ仮想直線ＩＬ及び人の領域ＨＲを挟むように配置される第２ノズルペア９ｂ（ノズル９ｂ１とノズル９ｂ２のペア）とを有する。消毒室２内には、第１及び第２ノズルペア９ａ、９ｂの計４つの噴霧ノズル（ノズルセット）が配置される。図４において、各ノズル９が仮想四角形ＩＱの各頂点に相当するように各ノズル９が四角形状に配置される。仮想四角形ＩＱの内側に人の領域ＨＲが含まれる。なお、仮想四角形ＩＱには、１つの頂点Ｖを基点に接続する仮想第１辺ＩＳ１と仮想第２辺ＩＳ２が示される（ただし、仮想第１辺ＳＩ１＜仮想第２辺ＳＩ２の長さ）。図示省略してあるが、各ノズル９は、短辺６ａ２の縁部から上方に延びる側壁７ｂに取り付けられる。ノズル９ａ１、９ｂ２は、図４において、図示左側の側壁７ｂに取り付けられ、ノズル９ａ２、９ｂ１は、図示右側の側壁７ｂに取り付けられる。図４においては、ノズル９ａ１とノズル９ｂ１が対向するとともに、ノズル９ａ２とノズル９ｂ２が対向して位置する。そのため、各ノズル９は、薬液を噴霧する噴霧口が消毒室２の中央側に向くように位置する。
【００２４】
図４の仮想第１辺ＩＳ１に沿う第１方向から消毒室２内のノズル９ａ１、９ｂ１を見た図５に示すように、ノズル９ａ１、９ｂ１は、ノズル９ａ１、９ｂ１の中心軸Ａと鉛直方向に延びる仮想鉛直線ＩＶとのなす角ａ（鋭角）が、例えば、５度以上１５度以下になるように側壁７ｂに取り付けられる。図５において、中心軸Ａは、各ノズル９ａ１、９ｂ１を基点とするように仮想鉛直線ＩＶから消毒室２内の中央側に傾いて位置する。なお、図５では、ノズル９ａ１、９ｂ１が側壁７ｂに取り付けられる詳細は省略してある。
【００２５】
また、図４の仮想第２辺ＩＳ２に沿う第２方向から消毒室２内のノズル９ｂ１、９ａ２を見た図６に示すように、ノズル９ｂ１、９ａ２は、ノズル９の中心軸Ａと仮想鉛直線ＩＶとのなす角ｂ（鋭角）が、例えば、０度以上３０度以下になるように側壁７ｂに取り付けられる。図６において、中心軸Ａは、各ノズル９ａ２、９ｂ１を基点とするように仮想鉛直線ＩＶから消毒室２内の中央側に傾いて位置する。なお、図６では、ノズル９ａ２、９ｂ１が側壁７ｂに取り付けられる詳細は省略してある。
【００２６】
図５及び図６に示すように各ノズル９の中心軸Ａは、床面６ａと交差する。図２に示すように中心軸Ａが床面６ａと交差する位置としては、マークＭ１に囲まれる領域Ｒ１、マークＭ２に囲まれる領域Ｒ２及び、マークＭ１とマークＭ２とに挟まれる領域Ｒ３の外側に位置する。なお、図２において、破線で略扇状に描かれる領域Ｒ４は、ノズル９から噴霧される薬液の様子の一例を便宜的に表したものであり、図２に示すように薬液が噴霧される状態に限定されるものではない。
【００２７】
図３に示すように消毒室２内の上方には、噴霧する薬液を４つの各ノズル９に分流する分流容器１０が位置する。分流容器１０には、分流容器１０に薬液を流通するための流通管１０ａと、各ノズル９に薬液を供給する供給管１０ｂが接続される。また、消毒室２内の上方には、各ノズル９から薬液を噴霧するために各ノズル９圧縮空気を送るための空気供給管１１が位置する。図３では、図示省略してあるが、消毒室２の天井８には、流通管１０ａ及び空気供給管１１を消毒室２内に導くための貫通孔がそれぞれ形成される。流通管１０ａ及び空気供給管１１を通した貫通孔はパッキンなどで塞がれ、扉Ｄを閉めた状態で消毒室２は密閉された状態となる。
【００２８】
図１に戻って、消毒室２内で衣服や人に付着した病原菌などを消毒する薬液は、薬液タンク３に蓄えられる。薬液タンク３は、薬液を貯蔵する容器である。薬液タンク３は、貯蔵した薬液の外部への流通を調節するバルブ３ａと、バルブ３ａに接続して供給ポンプ４に繋がる接続管３ｂを有する。薬液タンク３に貯蔵する薬液としては、例えば、次亜塩素酸水などである。
【００２９】
接続管３ｂが接続する供給ポンプ４は、薬液タンク３から流通する薬液を消毒室２内に送るためのポンプである。供給ポンプ４は、接続管３ｂに接続して薬液が流入する流入口４ａと、流入口４ａから流入した薬液を消毒室２に向けて吐出する吐出口４ｂと、吐出口４ｂに接続して、供給ポンプ４から消毒室２に向けて供給される薬液の流通を調節するバルブ４ｃと、を有する。なお、バルブ４ｃには、一方に供給ポンプ４の吐出口４ｂが取り付けられ、他方には消毒室２内に薬液を送るための流通管１０ａが取り付けられる。流通管１０ａは、一端がバルブ４ｃに取り付けられ、他端が消毒室２内に分流容器１０（図３）に取り付けられる。薬液は、分流容器１０を経て各ノズル９内に送られる。
【００３０】
薬液が送られるノズル９には、ノズル９に送られた薬液をノズル９から霧状に噴霧するために圧縮空気が送られる。ノズル９に送られる圧縮空気は、図１に示すように消毒室２の外側に位置するコンプレッサー５により送られる。コンプレッサー５は、外部から取り込んだ空気を圧縮して消毒室２内のノズル９に向けて圧縮空気を送る。コンプレッサー５により、ノズル９から噴霧する薬液の噴霧圧力を調整可能であり、例えば、ノズル９から噴霧する薬液の噴霧圧力を、例えば、０．２Ｍｐａ以上０．４Ｍｐａ以下に設定可能である。コンプレッサー５は、圧縮空気を消毒室２に向けて送る流通管５ａと、流通管５ａから流通する圧縮空気を制御する制御部Ｃと、制御部Ｃにより制御された圧縮空気を消毒室２内の各ノズル９に送る空気供給管１１と、を有する。制御部Ｃは、コンプレッサー５から送られてくる圧縮空気をノズル９に搬送する間隔や時間などを調節する機構である。制御部Ｃにより、流通管５ａから搬送された圧縮空気を所定時間連続して、又は、間欠的に空気供給管１１に搬送する等し、ノズル９から薬液を噴霧する噴霧条件を調節できる。なお、消毒室２内の側壁７には、制御部Ｃなどにより調節された噴霧条件で薬液の噴霧を開始するためのスイッチ（図示省略）が備わる。
【００３１】
以上の構成を有する付着装置１により、例えば、衣服を着た人の全身を消毒する。次に、衣服を着た人（使用者）の全身を付着装置１で消毒する方法を説明する。先ず、薬液タンク３のバルブ３ａや供給ポンプ４のバルブ４ｂを開くとともに、ノズル９から薬液を噴霧する噴霧条件に応じてコンプレッサー５の圧力や制御部Ｃによりノズル９から薬液を噴霧する時間などを調節する。そして、供給ポンプ４やコンプレッサー５を稼働させて、ノズル９から薬液を噴霧できる状態にしておく。次に、衣服を来た人（全身の消毒をする使用者）が扉Ｄを開けて消毒室２内に入り、扉Ｄを閉める。扉Ｄを閉めると消毒室２内は密閉され、消毒室２内の気流が外部に漏れない状態となる。扉Ｄを閉めた後、使用者は、図２に示すマークＭ１上に右足裏、マークＭ２上に左足裏が位置するように、足を広げて立ち、両手を水平に広げ、いわば、Ｔの字のようなポーズをとる。このようにして使用者を消毒するための準備が完了する。
【００３２】
消毒の準備が完成したら、次に、消毒室２内の内壁についているスイッチ（図示省略）を使用者が手で押す。すると、制御部Ｃによりスイッチの押圧が検出され、ノズル９から、予め設定された条件での薬液の噴霧が行われる。例えば、全てのノズル９から２０秒間連続して薬液の噴霧をして５秒のインターバルをおく、との工程を４回繰り返し、最後に全てのノズル９から２０秒間、連続して薬液の噴霧をし、３０秒のインターバルをおいて、薬液の噴霧が終了する。薬液の噴霧終了後は、扉Ｄから使用者が消毒室２の外に出る。このようにして、衣服を着た人の全身の消毒が終了する。１人の人の消毒が終われば、同じように別の人が消毒することが可能となる。
【００３３】
図２に示すように、付着装置１は、薬液を噴霧する各ノズル９の中心軸Ａが、両足を開いて立った人の右足裏領域（マークＭ１の領域Ｒ１に相当する領域）、左足裏領域（マークＭ２の領域Ｒ２に相当する領域）、及び右足裏領域と左足裏領域とに挟まれる領域（領域Ｒ３に相当する領域）の外側に位置する床面６ａに交差する。そのため、各ノズル９から噴霧される薬液が、いわば、人の足元の外側に位置する床面６ａめがけて噴霧される。噴霧された気流は、床面６ａにぶつかった後に気流の一部が人に沿うように上昇する。よって、人の特定の部位をめがけて薬液を噴霧する場合より着衣した人の衣服及び人に満遍なく薬液を付着させることができる。
【実施例】
【００３４】
以下、実験例を挙げて本発明を具体的に説明するが、これらは本発明を限定するものではない。
【００３５】
まず、各実験例において、概ね共通する事項を説明する。付着装置１として、室内が幅１．６５ｍ、奥行き０．７４ｍ、高さ２．４ｍの直方体状の消毒室２を用意し、消毒室２の側壁７ｂの高さ２ｍの位置に４つのノズル９を設置した。設置した各ノズル９は、図２に示す中心軸Ａが、両足を開いて立った人の右足裏領域（マークＭ１の領域Ｒ１に相当する領域）、左足裏領域（マークＭ２の領域Ｒ２に相当する領域）、及び右足裏領域と左足裏領域とに挟まれる領域（領域Ｒ３に相当する領域）の外側に位置する床面６ａに交差するように設定した。ノズル９としては、スプレーイングシステムジャパン社製のエアー噴霧式加湿器のノズルを使用した。また、ノズル９から噴霧する薬液としては、ＣＥＬＡ（登録商標）水と呼ばれる非電解の弱酸性次亜塩素酸水（ｐＨ６．５、残留塩素濃度５０ｐｐｍ）を用いた。ノズル９から薬液を噴霧する条件としては、ノズル９の噴霧液量を０．６９ｍｌ／秒、ノズル９から噴霧されるザウター平均粒子径８．５μｍに設定した。消毒室２内で全身を消毒する人（着衣した人）には、身体の各部位（図７及び図８に示すように、頭頂部Ａ１、後頭部Ａ２、側頭部右Ａ３、側頭部左Ａ４、首Ａ５、胸部Ｂ１、腹部Ｂ２、脇腹右Ｂ３、脇腹左Ｂ４、背中Ｂ５、腰Ｂ６、股Ｂ７、右上腕表ＨＲ１、右前腕表ＨＲ２、右上腕裏ＨＲ３、右前腕裏ＨＲ４、左上腕表ＨＬ１、左前腕表ＨＬ２、左上腕裏ＨＬ３、左前腕裏ＨＬ４、右太もも表ＬＲ１、右脛ＬＲ２、右太もも裏ＬＲ３、右脹脛ＬＲ４、右太もも内ＬＲ５、左太もも表ＬＬ１、左脛ＬＬ２、左太もも裏ＬＬ３、左脹脛ＬＬ４、左太もも内ＬＬ５の３０か所）に１０ｃｍ×１０ｃｍのガーゼを取り付けた。そして、図２に示す消毒室２内の床面６ａのマークＭ１上に右足裏、マークＭ２上に左足裏が位置するように、足を広げて立って、両手を水平に広げた状態（Ｔの字のポーズ）にして全ノズル９から薬液の噴霧を行う。噴霧開始から２０秒を経過すると、消毒室２内の人は、その場で鉛直方向を軸として９０度回転し、右足裏がマークＭ´１上に、左足裏がマークＭ´２に位置するとともに、側壁７に手が触れないように両手を腰にあてたポーズ（アキンボーのポーズ）をとる。そして、更に２０秒を経過すると、先ほどと逆方向に９０度回転するとともに、両手を水平に広げた状態（最初にしたＴの字のポーズ）をとる。その後も、２０秒毎に、アキンボーのポーズ→Ｔの字のポーズ→アキンボーのポーズ→Ｔの字のポーズのように各ポーズを繰り返す。薬液の噴霧開始から所定時間が経過したら薬液の噴霧を止めて、扉Ｄから消毒室２の外に出て、身体の各部位に取り付けた１０ｃｍ×１０ｃｍのガーゼを取り外し、消毒室２に入る前後でのガーゼの重さ（ｇ）の差の絶対値を１００ｃｍ２で除法した数値を人に付着した薬液の着水量（ｍｇ／ｃｍ２）として測定した。
【００３６】
実験例１〜６においては、各ノズル９を消毒室２内のそれぞれの角に取り付け、各ノズル９から噴霧される薬液の噴霧圧力を０．３Ｍｐａにした。また、薬液の噴霧開始から、２０秒間、薬液を噴霧し、５秒のインターバルを置く間欠噴霧を４回行った後、最後に２０秒間、薬液を噴霧した（消毒室２において、次亜塩素酸水の密度を９４．２ｇ／ｍ３とした）。最後の薬液の噴霧が終わった以降は、ポーズを変化させず、３０秒間同じ姿勢を保ち、扉Ｄから消毒室２の外に出て着水量の測定を行った。図５に示すノズル９の中心軸Ａと仮想鉛直線ＩＶとのなす角ａを１０度に固定する一方で、実験例１では、図６に示すノズル９の中心軸Ａと仮想鉛直線ＩＶとのなす角ｂを０度、実験例２ではなす角ｂを５度、実験例３ではなす角ｂを１０度、実験例４ではなす角ｂを１５度、実験例５ではなす角ｂを３０度、実験例６ではなす角ｂを４５度として測定を行った。
【００３７】
図９には、実験例１〜６の測定結果が示される。図９では、実験例６（なす角ｂが４５度）の左前腕表の着水量が示されていないが、具体的な着水量は、１０．３であった。なす角ｂが４５度の場合には、着水量のバラツキが大きく、全身に満遍なく薬液を付着させれないため、なす角ｂは０度以上３０度以下が好ましい。
【００３８】
実験例７〜１１においては、各ノズル９を消毒室２内のそれぞれの角に取り付け、図５のなす角ａを１０度、図６のなす角ｂを５度に固定した。また、実験例７、８、１０、１１では、薬液の噴霧開始から、２０秒間、薬液を噴霧し、５秒のインターバルを置く間欠噴霧を４回行った後、最後に２０秒間、薬液を噴霧した。最後の薬液の噴霧が終わった以降は、ポーズを変化させず、３０秒間同じ姿勢を保ち、扉Ｄから消毒室２の外に出て着水量の測定をした（合計で１００秒の薬液噴霧時間）。実験例９では、薬液の噴霧開始から、２０秒間、薬液を噴霧し、５秒のインターバルを置く間欠噴霧を３回行った後、最後に２０秒間、薬液を噴霧した。最後の薬液の噴霧が終わった以降は、ポーズを変化させず、３０秒間同じ姿勢を保ち、扉Ｄから消毒室２の外に出て着水量の測定した（合計で８０秒の薬液噴霧時間）。また、各ノズル９から噴霧される薬液の噴霧圧力としては、実験例７が０．２Ｍｐａ、実験例８が０．３Ｍｐａ、実験例９が０．４Ｍｐａ、実験例１０が０．４Ｍｐａ、実験例１１が０．３Ｍｐａ（ただし、付着装置１の扉Ｄを開放したまま薬液の噴霧した）として、測定をした。
【００３９】
図１０には、実験例７〜１１の測定結果が示される。実験例１１に示すように扉Ｄを開放した場合には、外気の影響により十分な着水量を全く得られなかった。噴霧圧力としては、０．２Ｍｐａ以上０．４Ｍｐａ以下であれば、全身に満遍なく薬液を付着させることができた。実験例９と実験例１０の比較からわかるように、薬液の噴霧時間が長いほど全身に付着させることができる着水量は多くなった。
【００４０】
実験例１２〜１４においては、各ノズル９を消毒室２内のそれぞれの角に取り付け、各ノズル９から噴霧される薬液の噴霧圧力を０．３Ｍｐａにした。また、薬液の噴霧開始から、２０秒間、薬液を噴霧し、５秒のインターバルを置く間欠噴霧を４回行った後、最後に２０秒間、薬液を噴霧した。最後の薬液の噴霧が終わった以降は、ポーズを変化させず、３０秒間同じ姿勢を保ち、扉Ｄから消毒室２の外に出て着水量の測定をした。図６のなす角ｂを５度に固定する一方で、実験例１２では、図５のなす角度ａを５度、実験例１３ではなす角ａを１０度、実験例１４ではなす角ａを１５度として測定を行った。
【００４１】
図１１には、実験例１２〜１４の測定結果が示される。図５のなす角ａが５度以上１５度以下であれば、全身にほぼ０．５を超える十分な着水量が得られ、満遍なく薬液を付着させることができた。
【００４２】
実験例１５、１６においては、各ノズル９を消毒室２内のそれぞれの角に取り付け、各ノズル９から噴霧される薬液の噴霧圧力を０．３Ｍｐａにした。また、薬液の噴霧開始から、１００秒間、連続して薬液を噴霧した。薬液の噴霧が終わった以降は、ポーズを変化させず、３０秒間同じ姿勢を保ち、扉Ｄから消毒室２の外に出て着水量の測定をした。図６のなす角ｂを５度に固定する一方で、実験例１５では、図５のなす角度ａを５度、実験例１６ではなす角度ａを１０度として測定をした。
【００４３】
図１２には、実験例１５、１６の測定結果が示される。間欠で薬液の噴霧を行った実験例１２、１３（図１１）と比較すると、連続して薬液を噴霧した実験例１５、１６（図１２）では、間欠で薬液を噴霧した場合よりも着水量のバラツキが目立つ。これは、間欠的に薬液を噴霧する場合には、薬液を噴霧しないインターバルにより、再度、薬液を噴霧する際に、消毒室２内に漂う薬液の気流に噴霧された薬液が衝突することで、薬液の拡散が促されるためだと推測される。
【００４４】
実験例１７〜１９においては、消毒室２の奥行き方向において手前から０．１８５ｍと０．５５５ｍの両側の位置にそれぞれノズル９を取り付け、各ノズル９から噴霧される薬液の噴霧圧力を０．３Ｍｐａにした。また、薬液の噴霧開始から、１００秒間、連続して薬液を噴霧した。薬液の噴霧が終わった以降は、ポーズを変化させず、３０秒間同じ姿勢を保ち、扉Ｄから消毒室２の外に出て着水量の測定をした。図６のなす角ｂを０度に固定する一方で、実験例１７では、図５のなす角度ａを５度、実験例１８ではなす角度ａを１０度、実験例１９ではなす角度ａを１５度として測定を行った。
【００４５】
図１３には、実験例１７〜１９の測定結果が示される。連続して薬液を噴霧する場合であっても、図６のなす角ｂが０度、かつ、図５のなす角ａが５度以上１５度以下であれば、全身にほぼ０．５を超える着水量が得られ、満遍なく薬液を付着させることができた。
【００４６】
実験例２０、２１においては、消毒室２の奥行き方向において手前から０．１８５ｍと０．５５５ｍの両側の位置にそれぞれノズル９を取り付け、各ノズル９から噴霧される薬液の噴霧圧力を０．３Ｍｐａにした。また、薬液の噴霧開始から、１００秒間、連続して薬液を噴霧した。薬液の噴霧が終わった以降は、ポーズを変化させず、３０秒間同じ姿勢を保ち、扉Ｄから消毒室２の外に出て着水量の測定をした。図６のなす角ｂを０度に固定した。実験例２０では、図５の第１ノズルペア９ａのなす角ａを１５度、第２ノズルペア９ｂのなす角ａを１０度とした。実験例２１では、第１ノズルペア９ａのなす角ａを１５度と１０度、第２ノズルペア９ｂのなす角ａを１５度と１０度とし、消毒室２の長手方向において向かい合うノズル９のなす角ａが同じ角度になるようにし、測定した。
【００４７】
図１４には、実験例２０、２１の測定結果が示される。実験例２０のグラフからわかるように第１及び第２ノズルペア９ａ、９ｂの各ペアのなす角ａを同じにすることで、全身に１を超える着水量が得られ、とても満遍なく薬液を付着させることができた。一方、第１及び第２ノズルペア９ａ、９ｂの各ペアのなす角ａを変えてしまうと、着水量に若干のバラツキが見られた。
【００４８】
実験例２２においては、実験例２０と第１及び第２ノズルペア９ａ、９ｂのなす角ａを変えて測定をした。具体的には、第１ノズルペア９ａのなす角ａを１５度、第２ノズルペア９ｂのなす角ａを５度として測定をした。
【００４９】
図１５には、実験例２２の測定結果が示される。全身にほぼ１を超える着水量が得られ、とても満遍なく薬液を付着させることができた。図１４の実験例２０からもわかるように、第１及び第２ノズルペア９ａ、９ｂの各ペアのなす角ａを同じにすることで、満遍なく薬液を付着できることがわかる。
【００５０】
実験例２３〜２５においては、消毒室２の奥行き方向において手前から０．１８５ｍと０．５５５ｍの両側の位置にそれぞれノズル９を取り付け、各ノズル９から噴霧される薬液の噴霧圧力を０．３Ｍｐａにした。また、薬液の噴霧開始から、１００秒間、連続して薬液を噴霧した。薬液の噴霧が終わった以降は、ポーズを変化させず、３０秒間同じ姿勢を保ち、扉Ｄから消毒室２の外に出て着水量の測定をした。また、図６のなす角ｂを０度に固定した。実験例２３では、図５のなす角ａを全て５度とし、実験例２４ではなす角ａを全て１０度とし、実験例２５ではなす角ａを全て１５度とし、測定した。
【００５１】
図１６には、実験例２３〜２５の測定結果が示される。第１ノズルペア９ａと第２ノズルペア９ｂとの間において、なす角ａを異なるようにした実験例２０、２２（図１４、図１５）に比べて、第１ノズルペア９ａと第２ノズルペア９ｂとの間において、なす角ａを同じにした実験例２３〜２５（図１６）では、全身への着水量に若干のばらつきが生じた。そのため、第１ノズルペア９ａと第２ノズルペア９ｂとの間において、なす角ａを異なるようにすることで、噴霧された薬液が効果的に拡散され、全身へ満遍なく薬液が付着すると考えられる。
【００５２】
実験例２６〜２８においては、消毒室２の奥行き方向において手前から０．１８５ｍと０．５５５ｍの両側の位置にそれぞれノズル９を取り付け、各ノズル９から噴霧される薬液の噴霧圧力を０．３Ｍｐａにした。薬液の噴霧開始から、２０秒間、薬液を噴霧し、２秒のインターバルを置く間欠噴霧を４回行った後、最後に２０秒間、薬液を噴霧した。最後の薬液の噴霧が終わった以降は、ポーズを変化させず、３０秒間同じ姿勢を保ち、扉Ｄから消毒室２の外に出て着水量の測定をした（合計で１００秒の薬液噴霧時間）。また、図５の第１ノズルペア９ａのなす角ａを１５度、第２ノズルペア９ｂのなす角ａを１０度とし、図６のなす角ｂを０度に固定した。実験例２６では、各ノズル９の噴霧液量を０．６９ｍｌ／秒から０．２８ｍｌ／秒、ノズル９から噴霧されるザウター平均粒径を７．６μｍに設定した（薬液噴霧終了後の消毒室２において、次亜塩素酸水の密度を３８．２ｇ／ｍ３とした）。実験例２７では、各ノズル９の噴霧液量を０．８３ｍｌ／秒、ノズル９から噴霧されるザウター平均粒径を９．０μｍとし（薬液噴霧終了後の消毒室２において、次亜塩素酸水の密度を１１３．３ｇ／ｍ３とし）、実施例２８では、各ノズル９の噴霧液量を１．２５ｍｌ／秒、ノズル９から噴霧されるザウター平均粒径を１１．２μｍとし（薬液噴霧終了後の消毒室２において、次亜塩素酸水の密度を１７０．６ｇ／ｍ３とし）、測定した。
【００５３】
図１７には、実験例２６〜２８の測定結果が示される。図１７では、実験例２８の右上上表の着水量が示されていないが、具体的な着水量は、１２．１であった。図１７に示すように各ノズル９の噴霧液量を０．２８ｍｌ／秒とすると、着水量が０．５を下回る個所が多くなり、十分な着水量が得られなかった。各ノズル９の噴霧液量が０．６９ｍｌ／秒である実験例２０及び実験例２７、２８に示すように各ノズル９の噴霧液量が０．６９ｍｌ／秒以上、かつ、１．２５ｍｌ／秒以下であれば（薬液噴霧終了後の消毒室２において、次亜塩素酸水の密度が９４．２ｇ／ｍ３以上、かつ、１７０．６ｇ／ｍ３以下であれば）、全身に０．５を超える着水量が得られ、満遍なく薬液を付着させることができた。
【００５４】
実験例２９においては、図５の第１ノズルペア９ａのなす角ａを１５度、第２ノズルペア９ｂのなす角ａを５度とする以外は、実験例２８と同じ条件にし、測定した。
【００５５】
図１８には、実験例２９の測定結果が示される。股の着水量が０．５であるものの、その他の箇所については、非常に高い着水量が得られた。なお、股の着水量が０．５であった要因としては、着水量を測定するために股に取り付けたガーゼが股の間に挟まれ、ガーゼに薬液が付着する付着面積を十分に確保できなかったためと考えられる。
【００５６】
実験例３０においては、図５の第１ノズルペア９ａのなす角ａを１５度、第２ノズルペア９ｂのなす角ａを５度とする以外は、実験例２７と同じ条件にし、測定時間の短縮を図るために、特定の部位だけの着水量を測定した。実験例３１においては、薬液の噴霧開始から、１５秒間、薬液を噴霧し、２秒のインターバルを置く間欠噴霧を４回行った後、最後に１５秒間、薬液を噴霧した。最後の薬液の噴霧が終わった以降は、ポーズを変化させず、３０秒間同じ姿勢を保ち、扉Ｄから消毒室２の外に出て着水量の測定（合計で７５秒の薬液噴霧時間）をする以外は、実験例２９と同じ条件にし、測定時間の短縮を図るために、特定の部位だけの着水量を測定した。
【００５７】
図１９には、実験例３０、３１の測定結果が示される。各ノズル９の噴霧液量が０．８３ｍｌ／秒の場合においても、実験例２７から実験例３０のように図５の第１及び第２ノズルペア９ａのなす角ａを変えても、０．５を超える着水量が得られた。また、実験例３１に示すように、各ノズル９の噴霧水液が１．２５ｍｌ／秒と１秒間に噴霧する水液を多くすることで、薬液噴霧時間を１００秒から７５秒に短縮したとしても、ほとんどの部位で１を超える着水量を得られた。そのため、薬液噴霧時間としては、７５秒以上、かつ、１００秒以下であれば、全身に満遍なく薬液を付着させることができる。
【００５８】
上記の実験例の一部において、１０ｃｍ×１０ｃｍのガーゼを取り外し、着水量を測定する際に、図７及び図８における側頭部左Ａ４、胸部Ｂ１、股Ｂ７、腰Ｂ６、右上腕裏ＨＲ３、左太もも表ＬＬ１のガーゼに対して、次亜塩素酸試験紙にて残留塩素濃度を測定したところ、いずれも１０ｐｐｍ以上の残留塩素濃度を確認できた。
【００５９】
以上の実験例から、各ノズル９から噴霧される薬液が消毒室２内の人の足元（右足裏領域、左足裏領域、及び右足裏領域と左足裏領域とに挟まれる領域）の外側に位置する床面６ａをめがけて噴霧すると、人に満遍なく薬液を付着させることが可能となる。具体的には、図５のなす角ａが５度以上１５度以下であり、図６のなす角ｂが０度以上３０度以下であると、効果的である。また、第１ノズルペア９ａと第２ノズルペア９ｂとの間において、図５のなす角ａを異なるようにすることで、噴霧された薬液が効果的に拡散され、全身へ満遍なく薬液が付着させることが可能となる。また、図６のなす角ｂを０度とする場合には、ノズル９を消毒室２内に取り付ける際に、なす角ａのみを調整すればよく、調整が容易となる。そして、なす角ｂが０度の場合であっても、図１３に示すように全身に満遍なく薬液を付着させることができる。
【００６０】
以上、本発明の実施の態様を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【００６１】
上記では、図２に示すノズル９の中心軸Ａとしては、図２以外にも、消毒室２内の人の足元（右足裏領域、左足裏領域、及び右足裏領域と左足裏領域とに挟まれる領域）の外側に位置する床面６ａと交差するならば、種々の配置になってよい。
【００６２】
上記では、消毒室２内に１人の人が入って消毒をする例を示したが、閉じた広い空間内に第１及び第２ノズルペア９ａ、９ｂのセットを複数設置するとともに、各第１及び第２ノズルペア９ａ、９ｂに挟まれるように人を配置し、一度に複数の人を消毒してもよい。
【００６３】
上記では、図２に示すように４つのノズル９が平面視において、長方形状に位置するように配置される例を示したが、４つのノズル９が正方形状に配置されてもよい。
【符号の説明】
【００６４】
１        付着装置                    ２        消毒室
３        薬液タンク                  ４        供給ポンプ
５        コンプレッサー              ６        床
６ａ      床面                        ７        側壁
７ａ      側壁                        ７ｂ      側壁
７ａ      取付部                      ７ｂ      本体
８        天井                        ９        ノズル
９ａ      第１ノズルペア              ９ｂ      第２ノズルペア
Ａ        中心軸                      ＩＬ      仮想直線
ＩＱ      仮想四角形                  ＩＳ１    仮想第１辺
ＩＳ２    仮想第２辺                  ＩＶ      仮想鉛直線
【要約】
【課題】着衣した人の衣服及び人の少なくとも一部に満遍なく薬液を付着させる付着装置を提供する。
【解決手段】付着装置１は、第１及び第２ノズルペア９ａ、９ｂと消毒室２を備える。第１ノズルペア９ａは、人の上方に位置して、平面視において人を挟むように配置され、薬液を噴霧する。同様に、第２ノズルペア９ｂは、平面視において第１ノズルペア９ａを結ぶ仮想直線ＩＬと人を挟むように配置され、薬液を噴霧する。消毒室２は、床面６ａに人が両足を開いて立った状態で人を収容可能かつ、収容された人の上方に第１及び第２ノズルペア９ａ、９ｂが配置される。両足を開いて立った人の右足裏領域、左足裏領域、及び右足裏領域と左足裏領域とに挟まれる領域の外側に位置する床面６ａに対して第１及び第２ノズルペア９ａ、９ｂの各ノズル９の中心軸Ａが交差する。
【選択図】図１【図１】
0006831033.tif 000002
【図２】
0006831033.tif 000003
【図３】
0006831033.tif 000004
【図４】
0006831033.tif 000005
【図５】
0006831033.tif 000006
【図６】
0006831033.tif 000007
【図７】
0006831033.tif 000008
【図８】
0006831033.tif 000009
【図９】
0006831033.tif 000010
【図１０】
0006831033.tif 000011
【図１１】
0006831033.tif 000012
【図１２】
0006831033.tif 000013
【図１３】
0006831033.tif 000014
【図１４】
0006831033.tif 000015
【図１５】
0006831033.tif 000016
【図１６】
0006831033.tif 000017
【図１７】
0006831033.tif 000018
【図１８】
0006831033.tif 000019
【図１９】
0006831033.tif 000020